(57)【要約】【課題】患者用リストバンドのタグ収容部の奥まで挿入しやすいタグを作成する。【解決手段】患者識別情報が印刷され患者用リストバンドのタグ収容部に収容される印刷タグ部５ａおよび印刷タグ部５ａに切離し可能に連なり印刷タグ部５ａをタグ収容部に挿入するための挿入用タブ部５ｂから成るタグ前駆体５を、長さ方向に延在するミシン目５１により紙幅を印刷タグ部５ａとなる印刷タグ領域６１ａおよび挿入用タブ部５ｂとなる挿入用タブ領域６１ｂに区画した長尺状の印刷媒体５０を用いて、作成する患者リストバンド用タグ作成装置であって、患者識別情報を取得する情報取得部と、印刷媒体を送りながら、取得された患者識別情報を印刷タグ領域６１ａに印刷する印刷制御部７５と、印刷媒体５０を紙幅方向に切断して、タグ前駆体５として切り離すカッタと、を備えた。【選択図】図４
2007215991.tif 000002
【特許請求の範囲】
【請求項１】
患者リストバンドのタグ収容部に収容される印刷タグ部と、前記印刷タグ部に切り離し可能に連なっており前記印刷タグ部を前記タグ収容部に挿入するための挿入用タブ部と、から成るタグ前駆体を、
長手方向に延在するミシン目により紙幅を前記印刷タグ部となる印刷タグ領域と前記挿入用タブ部となる挿入用タブ領域とに区画した長尺状の印刷媒体を用いて、印刷する印刷部と、
前記患者識別情報を取得する情報取得部と、
前記印刷媒体を送りながら、取得された前記患者識別情報を前記印刷タグ領域に印刷する印刷制御部と、
前記印刷媒体を紙幅方向に切断するカッタと、を備えたことを特徴とする患者リストバンド用タグ作成装置。
【請求項２】
それぞれが、患者用リストバンドのタグ収容部に収容される印刷タグ部と前記印刷タグ部に切り離し可能に連なっており前記印刷タグ部を前記タグ収容部に挿入するための挿入用タブ部と、から成る第１情報用タグ前駆体と第２情報用タグ前駆体とを、
長手方向に延在する第１ミシン目により紙幅を前記第１情報用タグ前駆体の印刷タグ部となる第１印刷タグ領域と前記第１情報用タグ前駆体の挿入用タブ部となる第１挿入用タブ領域とに区画すると共に、前記長手方向に延在する第２ミシン目により紙幅を前記第２情報用タグ前駆体の印刷タグ部となる第２印刷タグ領域と前記第２情報用タグ前駆体の挿入用タブ部となる第２挿入用タブ領域とに区画した長尺状の印刷媒体を用いて、印刷する印刷部と、
患者識別情報である第１情報と第２情報とを区別して取得する情報取得部と、
前記印刷媒体を送りながら、前記第１情報が取得されたとき、前記第１印刷タグ領域に前記第１情報を印刷し、前記第２情報が取得されたとき、前記第２印刷タグ領域に前記第２情報を印刷する印刷制御部と、
印刷媒体を紙幅方向に切断するカッタと、を備えたことを特徴とする患者リストバンド用タグ作成装置。
【請求項３】
前記印刷制御部は、前記第１印刷タグ領域と前記第２印刷タグ領域を、前記紙幅方向の相異なる側に寄せてそれぞれ印刷することを特徴とする請求項２に記載の患者リストバンド用タグ作成装置。
【請求項４】
前記印刷制御部は、前記第２情報を、前記第１情報に対して上下逆方向に回転させた状態で印刷することを特徴とする請求項３に記載の患者リストバンド用タグ作成装置。
【請求項５】
前記印刷媒体は、前記紙幅方向における前記第１印刷タグ領域の寸法と前記第２印刷タグ領域の寸法とが相異なるように構成されていることを特徴とする請求項２乃至４のいずれか一項に記載の患者リストバンド用タグ作成装置。
【請求項６】
前記第１情報は大人患者用識別情報であり、前記第２情報は小児患者用識別情報であることを特徴とする請求項２乃至５のいずれか一項に記載の患者リストバンド用タグ作成装置。
【請求項７】
請求項１乃至６のいずれか一項に記載の患者リストバンド用タグ作成装置と、
前記患者リストバンド用タグ作成装置とリンクし、前記情報取得部に前記患者識別情報を供給する情報供給装置と、を備えたことを特徴とする患者リストバンド用タグ作成システム。
【請求項８】
請求項１乃至６のいずれか一項に記載の患者リストバンド用タグ作成装置に用いることを特徴とする印刷媒体。
【請求項９】
患者リストバンドのタグ収容部に収容される印刷タグ部と、前記印刷タグ部に切り離し可能に連なっており前記印刷タグ部を前記タグ収容部に挿入するための挿入用タブ部と、から成るタグ前駆体を、
長手方向に延在するミシン目により紙幅を前記印刷タグ部となる印刷タグ領域と前記挿入用タブ部となる挿入用タブ領域とに区画した長尺状の印刷媒体を用いて、印刷部により印刷する工程と、
情報取得部により、前記患者識別情報を取得する工程と、
印刷制御部により、前記印刷媒体を送りながら、取得された前記患者識別情報を前記印刷タグ領域に印刷する工程と、
カッタにより、前記印刷媒体を紙幅方向に切断する工程と、を備えたことを特徴とする患者リストバンド用タグ作成方法。
【請求項１０】
それぞれが、患者用リストバンドのタグ収容部に収容される印刷タグ部と前記印刷タグ部に切り離し可能に連なっており前記印刷タグ部を前記タグ収容部に挿入するための挿入用タブ部と、から成る第１情報用タグ前駆体と第２情報用タグ前駆体とを、
長手方向に延在する第１ミシン目により紙幅を前記第１情報用タグ前駆体の印刷タグ部となる第１印刷タグ領域と前記第１情報用タグ前駆体の挿入用タブ部となる第１挿入用タブ領域とに区画すると共に、前記長手方向に延在する第２ミシン目により紙幅を前記第２情報用タグ前駆体の印刷タグ部となる第２印刷タグ領域と前記第２情報用タグ前駆体の挿入用タブ部となる第２挿入用タブ領域とに区画した長尺状の印刷媒体を用いて、印刷部により印刷する工程と、
情報取得部により、患者識別情報である第１情報と第２情報とを区別して取得する工程と、
印刷制御部により、前記印刷媒体を送りながら、前記第１情報が取得されたとき、前記第１印刷タグ領域に前記第１情報を印刷し、前記第２情報が取得されたとき、前記第２印刷タグ領域に前記第２情報を印刷する工程と、
カッタにより、印刷媒体を紙幅方向に切断する工程と、を備えたことを特徴とする患者リストバンド用タグ作成方法。
【請求項１１】
前記印刷制御部により、前記第１印刷タグ領域と前記第２印刷タグ領域を、前記紙幅方向の相異なる側に寄せてそれぞれ印刷することを特徴とする請求項１０に記載の患者リストバンド用タグ作成方法。
【請求項１２】
前記印刷制御部により、前記第２情報を、前記第１情報に対して上下逆方向に回転させた状態で印刷することを特徴とする請求項１１に記載の患者リストバンド用タグ作成方法。
【発明の詳細な説明】
【技術分野】
【０００１】
本発明は、患者の氏名、患者ＩＤ番号、血液型等の患者識別情報が印刷されるもので、患者リストバンドのタグ収容部に収容するタグを、作成する患者リストバンド用タグ作成装置、患者リストバンド用タグ作成システムおよび印刷媒体に関するものである。
【背景技術】
【０００２】
従来、病院などにおいて、患者の取違え等を防止するためのものとして、患者識別情報を印刷した表示部と、患者の手首や足首に巻き付けるバンド本体とが、一体に形成された患者リストバンド（医療用リストバンド）が知られている（例えば、特許文献１参照）。
【０００３】
【特許文献１】特開２００１−１３７０１７号公報
【発明の開示】
【発明が解決しようとする課題】
【０００４】
しかし、従来の患者リストバンドは、その一部を構成する表示部に患者識別情報を直接印刷することから、印刷部分が汚損・欠損しやすく、また、印刷ミスをした場合に患者リストバンド全体が無駄になる、という問題があった。このような問題を解決すべく、患者リストバンドに、患者識別情報を印刷したタグを外部から視認可能に収容する袋状のタグ収容部を形成し、このタグ収容部の挿入開口からタグを挿入し、挿入開口を封止してタグを収容することが考えられる。
【０００５】
この場合、タグの後端がタグ収納部の挿入開口から外にはみ出さないように、タグをタグ収容部の奥まで挿入する必要がある。しかしながら、タグ収容部の挿入開口はタグの大きさに合わせたサイズとなっているため狭くなっており、指先がつかえて挿入し難いという課題がある。特に、指先が器用でない人などは、ピンセット等を使わなければ、タグをタグ収容部の奥まで挿入することが困難であった。
【０００６】
本発明は、タグ収納部を有する患者用リストバンドにおいて、タグ収容部の奥まで挿入しやすいタグを作成することができる患者リストバンド用タグ作成装置、患者リストバンド用タグ作成システムおよび印刷媒体を提供することを目的とする。
【課題を解決するための手段】
【０００７】
本発明の患者リストバンド用タグ作成装置は、患者リストバンドのタグ収容部に収容される印刷タグ部と、当該印刷タグ部に切り離し可能に連なっており印刷タグ部をタグ収容部に挿入するための挿入用タブ部と、から成るタグ前駆体を、長手方向に延在するミシン目により紙幅を印刷タグ部となる印刷タグ領域と挿入用タブ部となる挿入用タブ領域とに区画した長尺状の印刷媒体を用いて、印刷する印刷部と、患者識別情報を取得する情報取得部と、印刷媒体を送りながら、取得された患者識別情報を印刷タグ領域に印刷する印刷制御部と、前記印刷媒体を紙幅方向に切断するカッタと、を備えたことを特徴とする。
【０００８】
この構成によれば、挿入用タブ付きタグ、すなわち、患者識別情報が印刷された印刷タグ部と、ミシン目により印刷タグ部と切離し可能に連なっているもので、印刷タグ部をタグ収容部に挿入した後、切り離すことができる挿入用タグ部とから成るタグ前駆体が作成される。このため、挿入用タブ部を指先で摘んで、印刷タグ部を患者リストバンドのタグ収容部に挿入することで、挿入用タブ部を摘んだ指先がタグ収容部の挿入開口につかえることなく、印刷タグ部をタグ収容部の奥まで容易に挿入することができる。次に、挿入した印刷タグ部を指で押さえながら、タグ収容部の挿入開口からはみ出ている挿入用タブ部をミシン目からちぎり取ることで、印刷タグ部のみをタグ収容部に収容することができる。
【０００９】
また、タグ前駆体は、長尺状の印刷媒体を印刷後、カッタで紙幅方向に切断することにより作成されるため、タグ前駆体を必要な枚数だけ適切に印刷して作成することができ、使い勝手が良い。すなわち、カッタを用いずにタグ前駆体を作成しようとすると、長手方向と紙幅方向に切り離すことができるように、予め格子状に形成したミシン目により複数枚分のタグ前駆体が得られるように作り込んだシート状の印刷媒体（印刷シート）を用いる必要がある。入院患者数のさほど多くない通常の病院では、その都度必要となるタグ前駆体は１枚ないし数枚程度であり（１枚の印刷シートから作成可能なタグ前駆体の枚数より少ない）、一度に印刷シート全体を使用することがない。このため、例えばタグ前駆体を１枚だけ作成した場合、印刷した後、ミシン目の切り離しができるところまで紙送りをする必要があるため、切り取った後の印刷シートは、必ず逆送りをして戻す必要がある。この後、次の印刷をすると、シート送り方向における印刷位置ズレが起き易く、送り方向に隣接するタグ前駆体間に跨って印刷されるおそれなどがある。また、複数のサイズのタグ前駆体を作成したい場合、サイズの数だけ印刷シートを用意しなけらばならない。カッタを用いると長手方向の任意の位置で切断することができるので、多くの印刷媒体を用意する必要がない。
【００１０】
本発明の他の患者リストバンド用タグ作成装置は、それぞれが、患者識別情報が印刷され患者用リストバンドのタグ収容部に収容される印刷タグ部と、当該印刷タグ部に切り離し可能に連なっており印刷タグ部をタグ収容部に挿入するための挿入用タブ部と、から成る第１情報用タグ前駆体と第２情報用タグ前駆体とを、長手方向に延在する第１ミシン目により紙幅を第１情報用タグ前駆体の印刷タグ部となる第１印刷タグ領域と第１情報用タグ前駆体の挿入用タブ部となる第１挿入用タブ領域とに区画すると共に、長手方向に延在する第２ミシン目により紙幅を第２情報用タグ前駆体の印刷タグ部となる第２印刷タグ領域と第２情報用タグ前駆体の挿入用タブ部となる第２挿入用タブ領域とに区画した長尺状の印刷媒体を用いて、印刷する印刷部と、患者識別情報である第１情報と第２情報とを区別して取得する情報取得部と、印刷媒体を送りながら、第１情報が取得されたとき、第１印刷タグ領域に第１情報を印刷し、第２情報が取得されたとき、第２印刷タグ領域に第２情報を印刷する印刷制御部と、印刷媒体を紙幅方向に切断するカッタと、を備えたことを特徴とする。
【００１１】
この構成によれば、１種類の印刷媒体を用いて、第１情報用タグ前駆体と、第２情報用タグ前駆体とが選択的に作成される。すなわち、第１情報が取得されたときは、第１印刷タグ領域に印刷を行うことで、第１情報が印刷された印刷タグ部と、第１ミシン目により印刷タグ部と切離し可能に連なる挿入用タグ部とから成る第１情報用タグ前駆体が作成され、第２情報が取得されたときは、第２印刷タグ領域に印刷を行うことで、第２情報が印刷された印刷タグ部と、第２ミシン目により印刷タグ部と切離し可能に連なる挿入用タグ部とから成る第２情報用タグ前駆体が作成される。このため、第１情報用タグ前駆体を作成するための印刷媒体と、第２情報用タグ前駆体を作成するための印刷媒体との２種類の印刷媒体を用意する必要がなく、また印刷媒体を交換する必要もない。
【００１２】
さらに、第１情報用タグ前駆体の挿入用タブ部を指先で摘んで、印刷タグ部を第１情報用リストバンドのタグ収容部に挿入することで、挿入用タブ部を摘んだ指先がタグ収容部の挿入開口につかえることなく、印刷タグ部をタグ収容部の奥まで容易に挿入することができる。次に、挿入した印刷タグ部を指で押さえながら、挿入用タブ部を第１ミシン目からちぎり取ると、印刷タグ部のみがタグとしてタグ収容部に収容される。同様に、第２情報用タグ前駆体の挿入用タブ部を指先で摘んで、印刷タグ部を第２情報用リストバンドのタグ収容部に挿入することで、印刷タグ部をタグ収容部の奥まで容易に挿入することができる。次に、挿入した印刷タグ部を指で押さえながら、挿入用タブ部を第２ミシン目からちぎり取ると、印刷タグ部のみがタグとしてタグ収容部に収容される。
【００１３】
この場合、第１印刷タグ領域と第２印刷タグ領域とは、紙幅方向の相異なる側に寄せてそれぞれ印刷することが好ましい。
【００１４】
この構成によれば、第１情報が第２ミシン目の両側に跨って印刷され、第２情報が第１ミシン目の両側に跨って印刷される。これに対し、第１印刷タグ領域と第２タグ印刷領域とを幅方向の同じ側に配置した場合には、第１情報は、第２ミシン目の両側に跨って印刷され、第２情報は、第２ミシン目の片側のみに印刷される（第１印刷タグ領域が第２印刷タグ領域よりも大きい場合）。このため、第２印刷タグ領域の幅が印刷媒体の紙幅の１／２以上であれば、第１印刷タグ領域と第２タグ印刷領域とを紙幅方向の同じ側に配置した場合に比べて、第１ミシン目と第２ミシン目との間隔が広くなる。したがって、タグ前駆体をタグ収容部に挿入後、一方のミシン目により挿入用タブをちぎり取る際に、誤って他方のミシン目により印刷タグ部をちぎってしまうことを防止できる。
【００１５】
この場合、印刷制御部は、第２情報を、第１情報に対して上下逆方向に回転させた状態で印刷することが好ましい。
【００１６】
この構成によれば、使用時、第１情報と第２情報とが相互に上下逆向きとならないように、第１情報用タグ前駆体および第２情報用タグ前駆体の印刷タグ部を、その挿入用タブ部を摘んでそれぞれタグ収容部に収容することができる。すなわち、第１印刷タグ領域と第２印刷タグ領域とを、幅方向の相異なる側にそれぞれ配置したことで、第１挿入用タブ領域が第１印刷タグ領域に対して連なる側と、第２挿入用タブ領域が第２印刷タグ領域に対して連なる側とが、相互に逆となる。このため、第２情報を、第１情報と同じ向きで印刷すると、挿入用タブ部を摘んで印刷タグ部をタグ収容部に収容すると、第１情報と第２情報とが上下逆向きとなるが、本構成によれば、そのようなことがない。
【００１７】
なお、タグ収容部を、挿入方向の前後両側に挿入開口を形成し、前後いずれからも印刷タグ部を挿入可能な構成とすれば、第１印刷タグ領域と第２印刷タグ領域とを幅方向の相異なる側にそれぞれ配置した場合にも、第２情報を、第１情報と同じ向きで印刷すればよい。すなわち、この場合には、第１情報用タグ前駆体を一方の挿入開口からタグ収容部に挿入し、第２情報用タグ前駆体を他方の挿入開口から挿入するようにすればよい。
【００１８】
これらの場合、印刷媒体は、紙幅方向における第１印刷タグ領域の寸法と第２印刷タグ領域の寸法とが相異なるように構成されていることが好ましい。
【００１９】
これらの場合、第１情報は大人患者用識別情報であり、第２情報は小児患者用識別情報であることが好ましい。
【００２０】
この構成によれば、患者が大人である場合の大人用タグ前駆体と、患者が小児である場合の小児用タグ前駆体とを、１種類の印刷媒体を用いて選択的に作成することができる。
なお、体の大きさの違いにより、通常、大人患者用のタグは大きく、小児患者用のタグは小さいものが使用される。このため、幅方向において、大人患者用である第１印刷タグ領域の寸法は、小児患者用である第２印刷タグ領域の寸法よりも長くなる。もちろん、小児患者用のタグが大きく、大人患者用のタグが小さい場合には、その逆となり、第２印刷タグ領域の幅が第１印刷タグ領域の幅よりも長くなる。
【００２１】
本発明の患者リストバンド用タグ作成システムは、上記した患者リストバンド用タグ作成装置と、患者リストバンド用タグ作成装置とリンクし、情報取得部に患者識別情報を供給する情報供給装置と、を備えたことを特徴とする。
【００２２】
この構成によれば、情報供給装置から患者識別情報が供給され、供給された患者識別情報が印刷された印刷タグ部と、挿入用タグ部とから成るタグ前駆体が作成される。このため、情報供給装置により患者識別情報を供給できると共に、患者用リストバンドのタグ収容部の奥まで挿入しやすいタグ前駆体を作成することができる。
【００２３】
本発明の印刷媒体は、上記した患者リストバンド用タグ作成装置に用いることを特徴とする。
【００２４】
この構成によれば、上記した患者リストバンド用タグ作成装置に供することで、患者用リストバンドのタグ収容部の奥まで容易に挿入可能なタグ前駆体に作成される。
また、本発明の患者リストバンド用タグ作成方法は、患者リストバンドのタグ収容部に収容される印刷タグ部と、前記印刷タグ部に切り離し可能に連なっており前記印刷タグ部を前記タグ収容部に挿入するための挿入用タブ部と、から成るタグ前駆体を、長手方向に延在するミシン目により紙幅を前記印刷タグ部となる印刷タグ領域と前記挿入用タブ部となる挿入用タブ領域とに区画した長尺状の印刷媒体を用いて、印刷部により印刷する工程と、情報取得部により、前記患者識別情報を取得する工程と、印刷制御部により、前記印刷媒体を送りながら、取得された前記患者識別情報を前記印刷タグ領域に印刷する工程と、カッタにより、前記印刷媒体を紙幅方向に切断する工程と、を備えたことを特徴とする。
好ましくは、本発明の患者リストバンド用タグ作成方法は、それぞれが、患者用リストバンドのタグ収容部に収容される印刷タグ部と前記印刷タグ部に切り離し可能に連なっており前記印刷タグ部を前記タグ収容部に挿入するための挿入用タブ部と、から成る第１情報用タグ前駆体と第２情報用タグ前駆体とを、長手方向に延在する第１ミシン目により紙幅を前記第１情報用タグ前駆体の印刷タグ部となる第１印刷タグ領域と前記第１情報用タグ前駆体の挿入用タブ部となる第１挿入用タブ領域とに区画すると共に、前記長手方向に延在する第２ミシン目により紙幅を前記第２情報用タグ前駆体の印刷タグ部となる第２印刷タグ領域と前記第２情報用タグ前駆体の挿入用タブ部となる第２挿入用タブ領域とに区画した長尺状の印刷媒体を用いて、印刷部により印刷する工程と、情報取得部により、患者識別情報である第１情報と第２情報とを区別して取得する工程と、印刷制御部により、前記印刷媒体を送りながら、前記第１情報が取得されたとき、前記第１印刷タグ領域に前記第１情報を印刷し、前記第２情報が取得されたとき、前記第２印刷タグ領域に前記第２情報を印刷する工程と、カッタにより、印刷媒体を紙幅方向に切断する工程と、を備えたことを特徴とする。
好ましくは、本発明の患者リストバンド用タグ作成方法は、前記印刷制御部により、前記第１印刷タグ領域と前記第２印刷タグ領域を、前記紙幅方向の相異なる側に寄せてそれぞれ印刷することを特徴とする。
好ましくは、本発明の患者リストバンド用タグ作成方法は、前記印刷制御部により、前記第２情報を、前記第１情報に対して上下逆方向に回転させた状態で印刷することを特徴とする。
【発明を実施するための最良の形態】
【００２５】
以下、添付の図面を参照して、本発明の一実施形態に係る患者リストバンド用タグ作成システムおよびこれに用いるロール紙（印刷媒体）について説明する。この患者リストバンド用タグ作成システムは、患者氏名等の患者識別情報が印刷され患者リストバンドのタグ収容部に収容される印刷タグ部およびこれをタグ収容部に挿入するための挿入用タブ部から成るタグ前駆体を、ロール紙を用いて作成するものである。そこで、まず、印刷タグ部が収容される患者リストバンドについて説明する。
【００２６】
図１に示すように、患者リストバンド１は、患者識別情報を表示することにより患者の取違え等防止するためのものであって、患者識別情報が印刷された印刷タグ部５ａ（後述する）を収容するタグ収容部１１を備えたバンド本体２と、バンド本体２の一端に設けられ、バンド本体２の他端を係止する固定具３とから構成され、バンド本体２を患者の手首（あるいは足首）に巻き付け、固定具３でこれを環状に恒久的に固定して使用するようになっている。
【００２７】
タグ前駆体５は、詳細は後述するが、印刷タグ部５ａと挿入用タブ部５ｂとから成り、印刷タグ部５ａには、患者識別情報として、氏名、患者ＩＤ番号、生年月日、診療科名、診療病棟、担当医、血液型、食物アレルギーを示すマーク「●」および患者ＩＤ番号に基づくバーコードが印刷されている。
【００２８】
バンド本体２は、タグ収容部１１と、タグ収容部１１の一端から延在するベルト部１２と、タグ収容部１１の他端に連なり、固定具３の突部材２６および受け部材２７がそれぞれ設けられた係止部１３とで一体に構成されている。
【００２９】
バンド本体２は、その表側（患者の手首に巻いた際の外側）全体を構成する透明の表側シート１６に対し、裏側からベルト部１２およびタグ収容部１１のベルト部１２側端部を覆う不透明の裏側ベルト部シート１７と、タグ収容部１１および係止部１３を覆う不透明の裏側収容部シート１８とをそれぞれ重ねて、バンド本体２の輪郭に沿って熱溶着したものである。この表側シート１６と、裏側収容部シート１８とにより、袋状のタグ収容部１１が構成されている。
【００３０】
表側シート１６が透明に構成されていることで、タグ収容部１１に収容された印刷タグ部５ａを表側から視認可能であり、また印刷タグ部５ａに印刷されたバーコード等（後述する）をリーダにより光学的に読取り可能となっている。もちろん、裏側の両シートをも透明にしてもよい。なお、バンド本体２を構成するこれらのシートは、防水性を有し、医学的に安全性の高いポリウレタン等の素材で構成することが好ましい。
【００３１】
裏側収容部シート１８のベルト部１２側の縁端は、裏側ベルト部シート１７のタグ収容部１１側の縁端の裏側に重なっており、この部分がタグ収容部１１の挿入開口２１となっている。これにより、印刷タグ部５ａの挿入作業の際に挿入開口２１を開きやすくすると共に、タグ収容部１１に一旦収容された印刷タグ部５ａが誤って出ることが防止される。すなわち、挿入開口２１を構成する裏側収容部シート１８のベルト部１２側の縁端が、表側シート１６から離れやすくなると共に、収容された印刷タグ部５ａが挿入開口２１から出ようとしても裏側ベルト部シート１７により押さえられる。さらに、患者リストバンド１を使用する際には、挿入開口２１をヒートシールして、水密に封止する。
【００３２】
ベルト部１２には、その長手方向に並んで複数の係止孔２２が形成されており、患者の手首の太さに合わせて、固定具３による係止位置が調整できるようになっている。すなわち、複数の係止孔２２のいずれかに後述する突部材２６の突部が挿通されて、ベルト部１２が係止部１３に係止される。なお、余ったベルト部１２の先端側は、ハサミ等により切断される。
【００３３】
係止部１３は、タグ収容部１１の端部に直接連なり、固定具３の突部材２６が取り付けられた突部材取付片２３と、突部材取付片２３に対して折り畳み自在に連結され、固定具３の受け部材２７が取り付けられた受け部材取付片２４とから構成されている。
【００３４】
固定具３は、係止部１３の突部材取付片２３に取り付けられた突部材２６と、受け部材取付片２４に取り付けられ、突部材２６が表側から嵌合する受け部材２７とで構成されている。すなわち、図示しないが、突部材２６は、先端にほぞが形成された突部を有し、また、受け部材２７は、突部材２６の突部が抜止め状態で嵌合する嵌合孔を有している。
【００３５】
このようにして構成された患者リストバンド１は、印刷タグ部５ａをタグ収容部１１に収容した後、表側（表側シート１６）を外側にして患者の手首に巻き付け、さらに、ベルト部１２の任意の係止孔２２に突部材２６を挿通させ、係止部１３の突部材取付片２３に対して受け部材取付片２４を折り畳み（表側が谷）、突部材２６と受け部材２７とを嵌合させることで、患者の手首に対して恒久的に固定される。なお、退院時等に患者から患者リストバンド１を外すときには、ベルト部１２をハサミ等で切断する。
【００３６】
続いて、図２ないし図６を参照して、印刷タグ部５ａと挿入用タブ部５ｂとから成るタグ前駆体５を作成する患者リストバンド用タグ作成システム３１（以下、単に「タグ作成システム」ともいう。）について説明する。
【００３７】
図２に示すように、タグ作成システム３１は、装着したロール紙５０（図５等参照）を繰り出しながらこれに印刷を行う印刷装置３２（患者リストバンド用タグ作成装置）と、印刷装置３２とリンクし、患者識別情報を供給する情報供給装置３３とを備えている。すなわち、印刷装置３２は、情報供給装置３３から供給された患者識別情報を取得するインタフェース３４（情報取得部）を有しており、インタフェース３４を介して取得した患者識別情報を印刷バッファ等に格納するようになっている。印刷装置３２は、例えば、後述する複数台の端末ＰＣのうちの１台（第２端末ＰＣ４２）と共に病院のナースルーム４７に設置されている。なお、本実施形態では、印刷装置３２は、外部から患者識別情報を取得する構成であるが、自身の入力部（キーボード等）からの入力情報を、ＣＰＵおよびメモリ等から成る印刷制御部で処理し、患者識別情報を取得する構成であってもよい。この場合、印刷装置３２に入力情報を確認するためのディスプレイを備えていてもよい。
【００３８】
情報供給装置３３は、病院の事務室４６に設置された第１端末ＰＣ４１およびナースルーム４７に設置された第２端末ＰＣ４２と、ネットワーク４５を介して２台の端末ＰＣ４１，４２に接続され、各入院患者の患者関連情報を登録するデータベース４４を有するサーバ４３とから構成されている。
【００３９】
第１端末ＰＣ４１を用いて、病院の事務員が各入院患者の患者関連情報を入力することで、患者関連情報がサーバ４３のデータベース４４に順次登録される。一方、第２端末ＰＣ４２を用いて、病院の看護士が、タグ前駆体５が必要となった患者をデータベース４４から検索することで患者関連情報が取得され、これに基づいて作成された患者識別情報が印刷装置３２に供給される。なお、情報供給装置３３としては、スタンドアロンタイプのパソコンであってもよい。すなわち、印刷装置３２に直接接続されたパソコンに対し、キーボードあるいはフレキシブルディスク等の記憶媒体を用いて患者関連情報を入力すると共に、これから作成した患者識別情報を印刷装置３２に供給する構成であってもよい。
【００４０】
図３に示すように、具体的には、第１端末ＰＣ４１から、キーボード等により、患者関連情報として、各患者の氏名、住所、連絡先、患者ＩＤ番号、生年月日、診療科名、診療病棟、担当医、血液型、食物アレルギーの有無等が入力され、これらの患者関連情報がデータベース４４に登録される。
【００４１】
一方、第２端末ＰＣ４２は、検索した患者の患者関連情報から、印刷タグ部５ａに印刷すべき所定の情報（ここでは、上記した患者氏名、患者ＩＤ番号、生年月日、診療病棟、担当医、血液型、食物アレルギー）に基づいて、印刷データを作成し、これを患者識別情報として印刷装置３２に供給する。
【００４２】
図４に示すように、患者識別情報の印刷対象となるロール紙５０は、長尺状の印刷用紙をコアに巻回したものであり、巻き始め端から巻き終わり端に亘って長さ方向に延在して、紙幅を幅広の第１区画部５０ａと幅狭の第２区画部５０ｂとに区画するミシン目５１を有しており、詳細は後述するが、この第１区画部５０ａがタグ前駆体５の印刷タグ部５ａとなる印刷タグ領域６１ａであり、第２区画部５０ｂが挿入用タブ部５ｂとなる挿入用タブ領域６１ｂである。つまり、ロール紙５０は、ミシン目５１により、全幅を印刷タグ部５ａとなる印刷タグ領域６１ａと、挿入用タブ部５ｂとなる挿入用タブ領域６１ｂとに区画されている。
【００４３】
印刷タグ領域６１ａは、患者リストバンド１のタグ収容部１１のサイズに対応した幅を有しており、挿入用タブ領域６１ｂは、指先で摘めるだけの幅を有している。このため、タグ前駆体５は、挿入用タブ部５ｂを指先で摘んで印刷タグ部５ａをタグ収容部１１の奥まで挿入することが可能であり、印刷タグ部５ａが奥まで挿入されると、挿入用タブ領域６１ｂのみがタグ収容部１１の挿入開口２１からはみ出すようになっている（詳細は後述する）。
【００４４】
図５に示すように、印刷装置３２は、カラーインクジェットプリンタであり、ロール紙５０を繰り出し自在に装着すると共に、それぞれグリップローラで構成された給紙ローラ７２および排紙ローラ７３によりロール紙５０を排紙口７７に向けて間欠送り（副走査）する送り部７１と、複数色（例えば、ブラック、シアン、イエロー、マゼンタの４色）のインクがそれぞれ導入される複数のインクジェットヘッド（図示省略）を有し、これをキャリッジ（図示省略）を介してロール紙５０に対して移動（主走査）させながらロール紙５０に印刷を行う印刷部７４と、ＣＰＵ、ＲＯＭやＲＡＭなどのメモリ、ゲートアレイなどから構成されるもので、印刷部７４やインタフェース３４、後述のオートカッタ機構７６（カッタ）など印刷装置３２を統括制御する印刷制御部７５と、印刷部７４と排紙ローラ７３との間に位置して、ロール紙５０を紙幅方向に切断するオートカッタ機構７６（カッタ）とを備えている。そして、印刷装置３２は、印刷制御部７５においてインクジェットヘッドの主走査と吐出タイミングとを制御することで、ロール紙５０の幅方向における印刷位置を調整できる。印刷制御部７５は、インタフェース３４から患者識別情報を取得し、印刷部７４を制御して印刷媒体５０の所定の位置に所定の方向で患者識別情報を印刷し、オートカッタ機構７６を駆動させて切断する。このように、印刷装置３２の動作は全て印刷制御部７５が行っている。
【００４５】
図４に示すように、印刷装置３２は、取得した患者識別情報を、ロール紙５０の印刷タグ領域５ａ（第１区画部５０ａ）に印刷するようになっている。印刷識別情報の印刷後、印刷済み部分がさらに排紙口７７側に送られ、オートカッタ機構７６により、印刷済み部分の後端を幅方向に切断する。このようにして、患者識別情報が印刷された印刷タグ部５ａと、ミシン目５１により印刷タグ部５ａに切離し可能に連なった挿入用タブ部５ｂとから成るタグ前駆体５が作成される。これによれば、タグ前駆体５を必要な枚数だけ適切に作成することができ、使い勝手が良い。
【００４６】
図６に示すように、作成されたタグ前駆体５は、次のようにして患者リストバンド１のタグ収容部１１に挿入・収容される。まず、看護士等は、左手で患者リストバンド１を挿入開口２１（裏側）を自身に向けて持ちながら、タグ前駆体５の印刷面が患者リストバンド１の表側にくるようにして、右手の指先でタグ前駆体５の挿入用タブ部５ｂを摘んで、印刷タグ部５ａをタグ収容部１１の挿入開口２１から挿入する（同図（ａ）参照）。
【００４７】
そして、印刷タグ部５ａをタグ収容部１１の奥まで挿入する。このとき、上述したように、印刷タグ部５ａの後端（ミシン目５１）は、タグ収容部１１の挿入開口２１よりも内側に位置しており、挿入用タブ部５ｂのみが挿入開口２１から外部にはみ出している（同図（ｂ）参照）。
【００４８】
続いて、左手でミシン目５１の印刷タグ部５ａ側を、表裏両側から押さえながら、右手で挿入用タブ部５ｂを摘んで、これをミシン目５１により印刷タグ部５ａから引きちぎる（同図（ｃ）参照）。このようにして、患者リストバンド１のタグ収容部１１には、患者識別情報が印刷された印刷タグ部５ａのみが収容される。
【００４９】
以上のように、本実施形態のタグ作成システム３１によれば、印刷タグ部５ａをタグ収容部１１の奥まで挿入しやすいタグ前駆体を作成することができる。すなわち、印刷タグ部５ａと挿入用タブ部５ｂとから成るタグ前駆体５が作成され、挿入用タブ部５ｂを指先で摘んで印刷タグ部５ａをタグ収容部１１に挿入することで、挿入用タブ部５ｂを摘んだ指先がタグ収容部１１の挿入開口２１につかえることなく、印刷タグ部５ａをタグ収容部１１の奥まで容易に挿入することができる。さらに、挿入後、タグ収容部１１の挿入開口２１からはみ出ている挿入用タブ部５ｂを、ミシン目５１によりちぎって印刷タグ部５ａから切り離すことで、印刷タグ部５ａをタグとしてタグ収容部１１に収容することができる。
【００５０】
次に、タグ作成システムの他の実施形態について説明する。第２実施形態のタグ作成システムは、図２に示した第１実施形態のものと略同様の構成であり、印刷装置３２と情報供給装置３３とを備えているが、大人の患者に付ける大人患者リストバンドのための大人用タグ前駆体（第１情報用タグ前駆体）と、小児（子供）の患者に付ける小児患者リストバンドのための小児用タグ前駆体（第２情報用タグ前駆体）とを、選択的に作成する点で相違する。以下、相違点を中心に説明する。
【００５１】
図７は、大人患者リストバンド１０１と、小児患者リストバンド１０２とを示す図である。大人患者リストバンド１０１および小児患者リストバンド１０２は、第１実施形態の患者リストバンド１と略同様に構成されたものであるが、同図に示すように、小児患者リストバンド１０２は、手首の太さの違いに対応させて、大人患者リストバンド１０１に比べて小さく構成されている。
【００５２】
これに併せて、小児患者リストバンド１０２のタグ収容部１１２は、大人患者リストバンド１０１のタグ収容部１１１に比べて、小さくなっている。このため、小児患者リストバンド１０２のタグ収容部１１２に収容される小児用タグ前駆体１０６の印刷タグ部１０６ａは、大人患者リストバンド１０１のタグ収容部１１１に収容される大人用タグ前駆体１０５の印刷タグ部１０５ａに比べて、小さく幅狭となるように作成される。
【００５３】
情報供給装置３３は、対象となる患者が大人である場合の大人患者識別情報（第１情報）と、対象となる患者が小児である場合の小児患者識別情報（第２情報）とを区別して、印刷装置３２に供給する。すなわち、第２端末ＰＣ４２は、データベース４４から取得した患者関連情報の各項目のうち、生年月日のデータから、その患者の年齢を算出し、算出した年齢が、所定の基準年齢（例えば１３歳）以上であるか否かを判別し、所定の基準年齢以上であると判定した場合には、その患者が大人であるとして患者識別情報を供給し、所定の基準年齢未満であると判定した場合には、その患者が小児であるとして患者識別情報を供給する。もちろん、第１端末ＰＣ４１により、患者関連情報として、その患者が大人であるか小児であるかを直接的に入力し、その入力結果に基づいて、第２端末ＰＣ４２が大人患者識別情報と小児患者識別情報とを区別して供給するようにしてもよい。
【００５４】
図８は、第２実施形態のタグ作成システム３１に用いられるロール紙１５０を示す図である。同図に示すように、このロール紙１５０は、長さ方向に延在する第１ミシン目１５１および第２ミシン目１５２を有しており、第１ミシン目１５１および第２ミシン目１５２により、紙幅が、幅狭の第１区画部１５０ａと、幅広の第２区画部１５０ｂと、中間幅の第３区画部１５０ｃとに区画されている。
【００５５】
詳細は後述するが、この第２区画部１５０ｂおよび第３区画部１５０ｃが大人用タグ前駆体１０５の印刷タグ部１０５ａとなる第１印刷タグ領域１６１ａであり、第１区画部１５０ａが大人用タグ前駆体１０５の挿入用タブ部１０５ｂとなる第１挿入用タブ領域１６１ｂである。また、第１区画部１５０ａおよび第２区画部１５０ｂが小児用タグ前駆体１０６の印刷タグ部１０６ａとなる第２印刷タグ領域１６２ａであり、第３区画部１５０ｃが小児用タグ前駆体１０６の挿入用タブ部１０６ｂとなる第２挿入用タブ領域１６２ｂである。
【００５６】
つまり、ロール紙５０は、第１ミシン目１５１により、紙幅を大人用タグ前駆体１０５の印刷タグ部１０５ａとなる第１印刷タグ領域１６１ａと、大人用タグ前駆体１０５の挿入用タブ部１０５ｂとなる第１挿入用タブ領域１６１ｂとに区画されていると共に、第２ミシン目１５２により、紙幅を小児用タグ前駆体１０６の印刷タグ部１０６ａとなる第２印刷タグ領域１６２ａと、小児用タグ前駆体１０６の挿入用タブ部１０６ｂとなる第２挿入用タブ領域１６２ｂとに区画されている。また、第１印刷タグ領域１６１ａと第２印刷タグ領域１６２ａとは、幅方向の相異なる側に寄せて配置されている。
【００５７】
第１印刷タグ領域１６１ａは、大人患者リストバンド１０１のタグ収容部１１１のサイズに対応した幅を有しており、第１挿入用タブ領域１６１ｂは、指先で摘めるだけの幅を有している。同様に、第２印刷タグ領域１６２ａは、小児患者リストバンド１０２のタグ収容部１１２のサイズに対応した幅を有しており、第２挿入用タブ領域１６２ｂは、指先で摘めるだけの幅を有している。また、幅方向における第１印刷タグ領域１６１ａの寸法と第２印刷タグ領域１６２ａとが相異なるように（第２印刷タグ領域１６２ａの方が短い）構成されている。
【００５８】
印刷装置３２は、情報供給装置３３から大人患者識別情報が供給されたとき、ロール紙１５０の第１印刷タグ領域１６１ａに大人患者識別情報を印刷し、小児患者識別情報が供給されたとき、ロール紙１５０の第２印刷タグ領域１６２ａに小児患者識別情報を印刷する。ここで、小児患者識別情報は、大人患者識別情報に対して１８０度回転させた状態で印刷される。
【００５９】
そして、オートカッタ機構７６により、印刷済み部分の後端を幅方向に切断する。このようにして、大人患者識別情報が印刷された印刷タグ部１０５ａと、第１ミシン目１５１により印刷タグ部１０５ａに切離し可能に連なった挿入用タブ部１０５ｂとから成る大人用タグ前駆体１０５と、小児患者識別情報が印刷された印刷タグ部１０６ａと、第２ミシン目１５２により印刷タグ部１０６ａに切離し可能に連なった挿入用タブ部１０６ｂとから成る小児用タグ前駆体１０６とが選択的に作成される。なお、図中の矢印１０５ｃは、大人用タグ前駆体１０５における切り離し位置を示し、矢印１０６ｃは、小児用タグ前駆体１０６における切り離し位置を示している。
【００６０】
これによれば、１種類のロール紙１５０を用いて、大人用タグ前駆体１０５と、小児用タグ前駆体１０６とを選択的に作成することができる。すなわち、大人用タグ前駆体１０５を作成するためのロール紙と、小児用タグ前駆体１０６を作成するためのロール紙との２種類のロール紙を用意する必要がない。
【００６１】
また、この場合、大人患者識別情報が第２ミシン目１５２の両側（第２区画部１５０ｂおよび第３区画部１５０ｃ）に跨って印刷され、小児患者識別情報が第１ミシン目１５１の両側（第１区画部１５０ａおよび第２区画部１５０ｂ）に跨って印刷される。これに対し、第１印刷タグ領域１６１ａと第２印刷タグ領域１６２ａとを幅方向の同じ側に配置した場合には、大人患者識別情報は、第２ミシン目１５２の両側（第２区画部１５０ｂおよび第３区画部１５０ｃ）に跨って印刷され、小児患者識別情報は、第２ミシン目１５２の片側（第３区画部１５０ｃ）のみに印刷される（後述の変形例参照）。
【００６２】
このため、第２印刷タグ領域１６２ａの幅がロール紙１５０の紙幅の１／２以上であれば、第１印刷タグ領域１６１ａと第２印刷タグ領域１６２ａとを幅方向の同じ側に配置した場合に比べて、第１ミシン目１５１と第２ミシン目１５２との間隔が広くなる。したがって、印刷タグ部１０５ａ，１０６ａをタグ収容部１１１，１１２に挿入後、一方のミシン目１５１，１５２により挿入用タブ部１０５ｂ，１０６ｂをちぎり取る際に、誤って他方のミシン目１５２，１５１により印刷タグ部１０５ａ，１０６ａの途中をちぎってしまうことがない。
【００６３】
さらに、小児患者識別情報が、大人患者識別情報に対して１８０度回転させた状態で印刷されることで、大人患者識別情報と小児患者識別情報とが相互に上下逆向きとならないように、大人用タグ前駆体１０５および小児用タグ前駆体１０６の印刷タグ部１０５ａ，１０６ａを、その挿入用タブ部１０５ｂ，１０６ｂを摘んでタグ収容部１１１，１１２にそれぞれ収容することができる。
【００６４】
図９に示すように、本実施形態のロール紙１５０を用いて、タグ前駆体１０５，１０６以外の印刷物を作成することも可能である。すなわち、病院では、患者入院時に、患者リストバンド１０１，１０２用のタグ前駆体１０５，１０６を作成すると同時に、病室名札１７１、ベッド名札１７２、担当者名札１７３等の小型印刷物をも作成する場合がある。
【００６５】
これらの小型印刷物は、通常、それぞれ要求されるサイズが異なるものとなっている。この点、本実施形態のロール紙１５０を用いれば、第１ミシン目１５１および第２ミシン目１５２を利用して、大（第２区画部１５０ｂ）、中（第３区画部１５０ｃ）、小（第１区画部１５０ａ）の３種類のサイズの小型印刷物を作成することができる。例えば、第１区画部１５０ａを病室名札１７１、第２区画部１５０ｂをベッド名札１７２、第３区画部１５０ｃを担当者名札１７３として作成することが可能である。これにより、複数種の印刷媒体を用意してその都度印刷媒体を交換・セットすることなく、サイズの異なる複数種の小型印刷物を作成することができる。
【００６６】
図１０に示すように、各区画部１５０ａ，１５０ｂ，１５０ｃの幅（ロール紙１５０の幅方向における各ミシン目１５１，１５２の位置）に、病室名札１７１等の小型印刷物のサイズが合わない場合でも、ミシン目１５１，１５２を無視して、ただの印刷ロール紙として使用することで、病室名札１７１、ベッド名札１７２および担当者名札１７３を印刷可能である。
【００６７】
なお、図示しないが、第１実施形態のロール紙５０を用いた場合にも、同様に、ミシン目５１を利用して、あるいはこれを無視して、タグ前駆体５以外の小型印刷物を作成することが可能である。
【００６８】
図１１は、第２実施形態のロール紙の変形例を示す図である。このロール紙２５０は、上記したロール紙１５０と同様に、第１ミシン目２５１により、紙幅を大人用タグ前駆体２０５の印刷タグ部２０５ａとなる第１印刷タグ領域２６１ａと、大人用タグ前駆体２０５の挿入用タブ部２０５ｂとなる第１挿入用タブ領域２６１ｂとに区画されていると共に、第２ミシン目２５２により、紙幅を小児用タグ前駆体２０６の印刷タグ部２０６ａとなる第２印刷タグ領域２６２ａ（第１印刷タグ領域２６１ａよりも短い）と、小児用タグ前駆体２０６の挿入用タブ部２０６ｂとなる第２挿入用タブ領域２６２ｂとに区画されているが、第１印刷タグ領域２６１ａと第２印刷タグ領域２６２ａとは、幅方向の同一側に寄せて配置されている点で、上記のロール紙１５０と相違する。
【００６９】
この変形例においても、印刷装置３２により、大人患者識別情報が供給されたとき、ロール紙２５０の第１印刷タグ領域２６１ａに大人患者識別情報を印刷し、小児患者識別情報が供給されたとき、ロール紙２５０の第２印刷タグ領域２６２ａに小児患者識別情報を印刷することで、大人用タグ前駆体２０５と小児用タグ前駆体２０６とが選択的に作成される。この場合は、小児患者識別情報は、大人患者識別情報と同じ向きに印刷すればよい。なお、図中の矢印２０５ｃは、大人用タグ前駆体２０５における切り離し位置を示し、矢印２０６ｃは、小児用タグ前駆体２０６における切り離し位置を示している。
【図面の簡単な説明】
【００７０】
【図１】（ａ）は側方から見た患者リストバンドを示す図、（ｂ）は表側から見た患者リストバンドおよびこれに収容されるタグ前駆体を示す図。
【図２】本発明の一実施形態に係る患者リストバンド用タグ作成システムのブロック図。
【図３】患者関連情報の一例を示す図。
【図４】本発明の一実施形態に係る患者リストバンド用タグ作成システムに用いられるロール紙およびこれから作成されたタグ前駆体を示す図。
【図５】患者リストバンド用タグ作成システムを構成する印刷装置の概念図。
【図６】患者リストバンドのタグ収容部にタグ前駆体の印刷タグ部を挿入・収容する手順を示す図。
【図７】（ａ）は表側から見た大人患者リストバンドおよびこれに収容される大人用タグ前駆体を示す図、（ｂ）は表側から見た小児患者リストバンドおよびこれに収容される小児用タグ前駆体を示す図。
【図８】本発明の他の実施形態に係る患者リストバンド用タグ作成システムに用いられるロール紙およびこれから作成された大人用タグ前駆体および小児用タグ前駆体を示す図。
【図９】本発明の他の実施形態に係る患者リストバンド用タグ作成システムに用いられるロール紙のミシン目を利用して作成された小型印刷物を示す図。
【図１０】本発明の他の実施形態に係る患者リストバンド用タグ作成システムに用いられるロール紙のミシン目を無視して作成された小型印刷物を示す図。
【図１１】本発明の他の実施形態に係る患者リストバンド用タグ作成システムに用いられるロール紙の変形例およびこれから作成された大人用タグ前駆体および小児用タグ前駆体を示す図。
【符号の説明】
【００７１】
１…患者リストバンド、５…タグ前駆体、５ａ…印刷タグ部、５ｂ…挿入用タブ部、１１…タグ収容部、３２…印刷装置、３４…インタフェース、５０…ロール紙、５１…ミシン目、６１ａ…印刷タグ領域、６１ｂ…挿入用タブ領域、７４…印刷部、７５…印刷制御部、７６…オートカッタ機構、１０５…大人用タグ前駆体、１０５ａ…印刷タグ部（大人用）、１０５ｂ…挿入用タブ部（大人用）、１０６…小児用タグ前駆体、１０６ａ…印刷タグ部（小児用）、１０６ｂ…挿入用タブ部（小児用）、１５０…ロール紙、１５１…第１ミシン目、１５２…第２ミシン目、１６１ａ…第１印刷タグ領域、１６１ｂ…第１挿入用タブ領域、１６２ａ…第２印刷タグ領域、１６２ｂ…第２挿入用タブ領域。
【図１】
2007215991.tif 000003
【図２】
2007215991.tif 000004
【図３】
2007215991.tif 000005
【図４】
2007215991.tif 000006
【図５】
2007215991.tif 000007
【図６】
2007215991.tif 000008
【図７】
2007215991.tif 000009
【図８】
2007215991.tif 000010
【図９】
2007215991.tif 000011
【図１０】
2007215991.tif 000012
【図１１】
2007215991.tif 000013